(57)【要約】【課題】支持部材からの離水の漏れの抑制と当該支持部材へのカバー部材の簡便な係合との双方が可能な薬剤体容器を提供すること。【解決手段】薬剤体容器であって、薬剤体を支持する支持部材（２０）と、支持部材（２０）と係合するカバー部材（４０）とを備え、支持部材（２０）は、薬剤体の下部を保持する保持部（２２）と、保持部（２２）の外側面に接続されており薬剤体に生じた離水を受ける離水受け部（３０）と、離水受け部（３０）の外側でカバー部材（４０）を係止可能な係止部（３４）とを有し、カバー部材（４０）は、薬剤体の上部を覆うカバー本体（４２）と、離水受け部（３０）の外側で係止部（３４）と係合する被係止部（５４）とを有し、離水受け部（３０）は、当該離水受け部（３０）の内側面と保持部（２２）の外側面との間に、上向きに開口しかつ離水を受けることが可能な離水受け空間（Ｓ）を形成する形状を有すること。【選択図】図１
2015074466.tif 000002
【特許請求の範囲】
【請求項１】
薬剤を含むとともに保形性を有する薬剤体を収容するための収容空間を有する薬剤体容器であって、
前記薬剤体を支持する支持部材と、
前記支持部材と係合することにより前記支持部材とともに前記収容空間を形成するカバー部材と、を備え、
前記支持部材は、前記薬剤体の下部を保持する保持部と、前記保持部の外側面に接続されており前記薬剤体に生じた離水を受ける離水受け部と、前記離水受け部の外側で前記カバー部材を係止可能な係止部と、を有し、
前記カバー部材は、前記薬剤体の上部を覆うカバー本体と、前記離水受け部の外側で前記係止部と係合する被係止部と、を有し、
前記離水受け部は、当該離水受け部の内側面と前記保持部の外側面との間に、上向きに開口しかつ前記離水を受けることが可能な離水受け空間を形成する形状を有する薬剤体容器。
【請求項２】
請求項１に記載の薬剤体容器において、
前記保持部は、上方に開口する筒状であり、
前記離水受け部は、前記保持部の周方向に沿って連続的につながる形状を有しており、その下端が前記周方向の全域にわたって前記保持部の外側面につながっている薬剤体容器。
【請求項３】
請求項１又は２に記載の薬剤体容器において、
前記離水受け部の上端の位置は、前記保持部の上端の位置と略同じに設定されている薬剤体容器。
【請求項４】
請求項１ないし３のいずれかに記載の薬剤体容器において、
前記係止部は、前記離水受け部の外側面から外側に向かって張り出す張出部と、前記張出部の外端から上方に向かって延びる形状の側壁部と、前記被係止部を受け入れ可能な隙間をおいて当該張出部と上下方向に対向しかつ前記被係止部に上から係合するように前記側壁部の内側面から内側に向かって突出する突出部と、を有する薬剤体容器。
【請求項５】
請求項４に記載の薬剤体容器において、
前記張出部は、前記離水受け部の外側面の上端から外向きに突出している薬剤体容器。
【請求項６】
請求項４に記載の薬剤体容器において、
前記張出部は、前記離水受け部の外側面の下端から外向きに突出している薬剤体容器。
【発明の詳細な説明】
【技術分野】
【０００１】
本発明は、芳香剤、消臭剤、脱臭剤等の薬剤を含むとともに保形性を有する薬剤体を収容する薬剤体容器に関する。
【背景技術】
【０００２】
従来、芳香剤等の薬剤を含むとともに保形性を有する薬剤体を収容する薬剤体容器が知られている。例えば特許文献１には、保形性を有する薬剤体を支持する詰替本体と、詰替本体とともに前記薬剤体を収容する詰替蓋体と、を備える薬剤体容器が開示されている。
【０００３】
図５に示されるように、前記詰替本体１００は、鉢状の深皿部１１０と、深皿部１１０の外周面に接続された円筒状の第１中間筒１２０と、第１中間筒１２０の上端から外向きに張出す張出部１３０と、張出部１３０の外端から上方に向かって突出する円筒状の第２中間筒１４０と、第２中間筒１４０の上端から内向きに突出する凹形リブ１５０とを有する。前記第１中間筒１２０の内周面には、前記詰替蓋体の下端と嵌合する嵌合部１２１が形成されている。前記凹形リブ１５０は、前記張出部１３０と上下方向に隙間をおいて対向しており、前記詰替蓋体と係合可能な形状を有する。
【０００４】
前記詰替蓋体は、前記薬剤体の外側面を囲む形状の円筒部と、この円筒部の上側の開口を閉塞する天蓋と、前記円筒部の外周面に設けられており前記凹形リブと係合可能な逆Ｌ字形リブとを有する。前記円筒部の下端部の外周面には、前記第１中間筒１２０の嵌合部１２１と嵌合可能な形状の鍔が形成されている。
【０００５】
前記円筒部の鍔が前記第１中間筒１２０の嵌合部１２１に嵌合した状態において、前記逆Ｌ字形リブが前記凹形リブ１５０と周方向に離間した位置から、詰替本体に対して円筒部が周方向に相対回転されることにより、前記逆Ｌ字形リブは、前記張出部１３０、前記第２中間筒１４０及び前記凹形リブ１５０で囲まれる空間Ｓ内に入り込んで前記凹形リブ１５０に下方から係合する。つまり、前記張出部１３０、前記第２中間筒１４０及び前記凹形リブ１５０が前記詰替蓋体を係止する係止部としての機能を有し、前記逆Ｌ字形リブが被係止部としての機能を有する。前記円筒部の鍔が前記第１中間筒１２０の嵌合部１２１に嵌合するとともに前記逆Ｌ字形リブが前記凹形リブ１５０に係合することにより、前記詰替本体１００と前記詰替蓋体とが一体となって薬剤体容器を構成する。
【先行技術文献】
【特許文献】
【０００６】
【特許文献１】実公平０６−２８１０５号公報
【発明の概要】
【発明が解決しようとする課題】
【０００７】
特許文献１に記載の薬剤体容器では、前記薬剤体の表面に離水が生じている場合、詰替本体（以下、「支持部材」という。）から詰替蓋体（以下、「カバー部材」という。）が取り外されたとき、その離水は、前記張出部１３０、前記第２中間筒１４０及び前記凹形リブ１５０により構成される係止部で囲まれる空間Ｓへ向かい、そこに収容される。つまり、前記空間Ｓは、係止部を受け入れる機能を有するとともに、前記離水を受ける離水受け空間としても機能する。この空間Ｓを有する支持部材からの離水の漏れを抑制するためには、張出部１３０が全周にわたってつながっていることが要求される。通常、支持部材は、上下に分割可能な上下金型間に樹脂が供給されることによって成型されるが、張出部１３０が全周にわたってつながる形状を有するとともに、当該張出部１３０と上下方向に重なる凹形リブ１５０を有するものを前記上下金型で成型することは困難である。換言すれば、特許文献１に記載の薬剤体容器では、張出部１３０の形状に著しい制限があるために、支持部材からの離水の漏れの抑制と係止部を有する支持部材の容易な成型とを両立することは困難である。
【０００８】
本発明の目的は、支持部材からの離水の漏れの抑制と係止部を有する支持部材の容易な成型との双方が可能な薬剤体容器を提供することである。
【課題を解決するための手段】
【０００９】
前記課題を解決するための手段として、本発明は、薬剤を含むとともに保形性を有する薬剤体を収容するための収容空間を有する薬剤体容器であって、前記薬剤体を支持する支持部材と、前記支持部材と係合することにより前記支持部材とともに前記収容空間を形成するカバー部材と、を備え、前記支持部材は、前記薬剤体の下部を保持する保持部と、前記保持部の外側面に接続されており前記薬剤体に生じた離水を受ける離水受け部と、前記離水受け部の外側で前記カバー部材を係止可能な係止部と、を有し、前記カバー部材は、前記薬剤体の上部を覆うカバー本体と、前記離水受け部の外側で前記係止部と係合する被係止部と、を有し、前記離水受け部は、当該離水受け部の内側面と前記保持部の外側面との間に、上向きに開口しかつ前記離水を受けることが可能な離水受け空間を形成する形状を有する薬剤体容器を提供する。
【００１０】
本薬剤体容器では、前記保持部の外側に離水受け空間が形成され、かつその外側に係止部が設けられているので、薬剤体の表面に離水が生じており、前記支持部材から前記カバー部材が取り外されたときに当該離水が前記保持部の外側に流出したとしても、この離水は、前記係止部よりも内側に位置する離水受け空間で受けられる。よって、前記離水受け空間の外側に位置する係止部の形状は、前記離水受け空間を形成するための制限を受けずに高い自由度で設定されることが可能となる。よって、支持部材からの離水の漏れの抑制と係止部を有する支持部材の容易な成型との双方が可能となる。
【００１１】
この場合において、前記保持部は、上方に開口する筒状であり、前記離水受け部は、前記保持部の周方向に沿って連続的につながる形状を有しており、その下端が前記周方向の全域にわたって前記保持部の外側面につながっていることが好ましい。
【００１２】
このようにすれば、周方向について前記保持部のどの部位から当該保持部の外側に離水が流出したとしても、当該離水は離水受け部によって確実に受けられる。
【００１３】
また、本発明において、前記離水受け部の上端の位置は、前記保持部の上端の位置と略同じに設定されていることが好ましい。
【００１４】
このようにすれば、前記離水受け部の上端の位置が保持部の上端の位置よりも低い場合に比べて前記離水受け空間の体積が大きくなるので、支持部材からの離水の漏れが一層抑制される。
【００１５】
また、本発明において、前記係止部は、前記離水受け部の外側面から外側に向かって張り出す張出部と、前記張出部の外端から上方に向かって延びる形状の側壁部と、前記被係止部を受け入れ可能な隙間をおいて当該張出部と上下方向に対向しかつ前記被係止部に上から係合するように前記側壁部の内側面から内側に向かって突出する突出部と、を有することが好ましい。
【００１６】
このようにすれば、前記突出部が当該突出部と前記張出部との間に位置する被係止部に上から係合するので、前記係止部と前記被係止部とが互いに係合した状態において前記カバー部材が前記支持部材から離脱するのが抑制される。
【００１７】
この場合において、前記張出部は、前記離水受け部の外側面の上端から外向きに突出していてもよいし、前記離水受け部の外側面の下端から外向きに突出していてもよい。
【発明の効果】
【００１８】
以上のように、本発明によれば、支持部材からの離水の漏れの抑制と係止部を有する支持部材の容易な成型との双方が可能な薬剤体容器を提供することができる。
【図面の簡単な説明】
【００１９】
【図１】本発明の一実施形態の薬剤体容器の断面図である。
【図２】離水受け部及び係止部の近傍を示す拡大図である。
【図３】係止部の変形例を示す断面図である。
【図４】係止部及び被係止部の変形例を示す断面図である。
【図５】特許文献１に記載される従来の支持部材の係止部近傍の断面図である。
【発明を実施するための形態】
【００２０】
本発明の一実施形態の薬剤体容器について、図１及び図２を参照しながら説明する。なお、以下の説明における上下及び左右の各方向は、図１に基づいている。本薬剤体容器は、保形性を有する薬剤体１０を収容するための収容空間を有している。この収容空間に収容される薬剤体１０には、芳香剤、消臭剤、脱臭剤等の薬剤が含まれている。本実施形態では、薬剤体１０はゲル状である。
【００２１】
本実施形態の薬剤体容器は、図１に示されるように、薬剤体１０を支持する支持部材２０と、この支持部材２０とともに薬剤体１０を収容するカバー部材４０とを備えている。支持部材２０及びカバー部材４０は、上下に分割可能な上下金型間に樹脂が供給されることにより成型される。
【００２２】
支持部材２０は、薬剤体１０の下部を保持する保持部２２と、保持部２２の内側に設けられた円筒部２６と、規制片２８と、保持部２２の外側面に接続された離水受け部３０と、カバー部材４０を係止可能な係止部３４とを有する。
【００２３】
保持部２２は、円筒状の把持部２３と、底壁２４とを有する。把持部２３は、薬剤体１０の下部をその周囲から取り囲む形状を有する。把持部２３の外周面にはローレットが形成されている。底壁２４は、把持部２３の下端に接続されており、その中央に形成された中央開口を除いて把持部２３の下側の開口を塞ぐ形状を有する。
【００２４】
円筒部２６は、底壁２４の中央開口の周縁部から上方に向かって突出する形状を有する。図１に示されるように、円筒部２６の内周面には、段部２６ａが形成されている。本実施形態では、特定の支持部材２０の円筒部２６内に前記中央開口を通じて当該特定の支持部材２０とは別の支持部材２０の円筒部２６が挿入されたときに、前記特定の支持部材２０の円筒部２６の段部２６ａに前記別の支持部材２０の円筒部２６の上端２６ｂが当接するように段部２６ａの形状が設定されている。すなわち、軸方向に複数個の支持部材２０が重ね合わされることが可能となっている。
【００２５】
規制片２８は、薬剤体１０の下部に食い込むことにより保持部２２及び円筒部２６に対する薬剤体１０の相対回転を規制する形状を有する。規制片２８は、底壁２４の上面及び円筒部２６の下端部の外周面に接続されている。
【００２６】
離水受け部３０は、薬剤体１０の表面に生じた離水であって保持部２２の外側に流出したものを受ける部位である。離水受け部３０は、当該離水受け部３０の内側面と把持部２３の外側面２３ａとの間に、離水を受けることが可能な離水受け空間Ｓを形成する形状を有する。具体的に、離水受け部３０は、把持部２３の外側面２３ａと当該把持部２３の径方向（図１及び図２の左右方向）に隙間をおいて対向する対向壁３１と、対向壁３１の下端と把持部２３の外側面２３ａとを接続する接続壁３２とを有する。
【００２７】
対向壁３１は、把持部２３の周方向に沿って連続的につながる形状を有している。本実施形態では、対向壁３１は、把持部２３よりも一回り大きな径を有する円筒状に形成されている。対向壁３１の上端の位置は、把持部２３の上端の位置と略同じ高さに設定されている。
【００２８】
接続壁３２は、把持部２３の外側面２３ａから径方向の外側に向かって突出するとともに、周方向について連続的につながる形状を有している。接続壁３２の外端は、周方向の全域にわたって対向壁３１の下端とつながっており、接続壁３２の内端は、周方向の全域にわたって把持部２３の外側面２３ａのうちその上端よりも下方に位置する部位につながっている。対向壁３１の内側面３１ａ、接続壁３２の内面３２ａ（上面）、及び把持部２３の外側面２３ａのうち対向壁３１の内側面３１ａと対向する面によって規定される上方に開口する空間が、前記離水受け空間Ｓを構成する。
【００２９】
係止部３４は、離水受け部３０よりも径方向の外側でカバー部材４０を係止可能な形状を有する。具体的に、図２に示されるように、係止部３４は、離水受け部３０の対向壁３１の外側面３１ｂから外向きに張り出す張出部３５と、張出部３５の外端から上向きに延びる側壁部３６と、側壁部３６の内側面から内向きに突出する突出部３７とを有する。
【００３０】
張出部３５は、対向壁３１の外側面３１ｂの下端から外向きに突出する形状を有する。張出部３５は、円環状に形成されている。
【００３１】
側壁部３６は、周方向の全域にわたってつながる円筒状を呈する。
【００３２】
突出部３７は、張出部３５と上下方向に隙間をおいて対向するように側壁部３６の内側面の上端から内向きに突出している。つまり、突出部３７は、張出部３５と上下方向に重なっている。突出部３７は、側壁部３６の内側面のうち周方向に沿って等間隔で間欠的に並ぶ複数箇所に設けられている。各突出部３７の下面３７ａは、周方向の一端から他端に向かうにしたがって次第に下方に向かうように軸方向（図１及び図２の上下方向）と直交する平面に対して傾斜している。
【００３３】
本実施形態では、係止部３４を含む支持部材２０は、上下金型により成型されるため、その成型を容易にすべく、すなわち当該上下金型が単純に上下に分離されるだけで成型可能とすべく、張出部３５のうち突出部３７と上下方向に重なっている部分を含む領域に、当該張出部３５をその厚み方向（上下方向）に貫通する貫通孔３５ａが形成される。本実施形態では、把持部２３の外側に流出した離水が張出部３５よりも内側に位置する離水受け空間Ｓで受けられるので、張出部３５への貫通孔３５ａの形成が許容される。このため、上下方向に互いに重なり合う張出部３５及び突出部３７を有する支持部材２０を上下金型を用いて簡単に成型することが可能となる。具体的に、上下に分割可能な上下金型間に樹脂を供給することによって支持部材２０を成型する際、支持部材２０の外面を形成する下金型として、張出部３５の下面から貫通孔３５ａを通って突出部３７の下面３７ａに至るように延びる形状の部位を有するものを用いることが可能となる。よって、上金型と前記下金型との間に樹脂を供給した後、これら両金型を単純に上下に分離するという簡単な工程で、上下方向に隙間（後述の被係止部５４を受け入れ可能な隙間）をおいて対向する張出部３５と突出部３７とを有する支持部材２０が成型される。
【００３４】
なお、本実施形態では、貫通孔３５ａは、各突出部３７と対向する複数箇所に形成されている。すなわち、張出部３５は、各貫通孔３５ａ以外の部分で周方向につながっている。
【００３５】
カバー部材４０は、支持部材２０と係合することにより当該支持部材２０とともに前記収容空間を形成する。図１に示されるように、カバー部材４０は、薬剤体１０の上部を覆うカバー本体４２と、カバー本体４２に連結された連結壁５２と、係止部３４と係合可能な被係止部５４とを有する。
【００３６】
カバー本体４２は、筒体４４と、閉塞部４６とを有する。
【００３７】
筒体４４は、上下方向に開口する筒状でありかつその軸方向と直交する径方向の断面が前記軸方向の全域にわたって円形である。図２に示されるように、筒体４４の下端４４ａは、係止部３４と被係止部５４とが互いに係合したときに周方向の全域にわたって把持部２３の上端に食い込む形状に形成されている。図１に示されるように、筒体４４の外周面には、段部４４ｂが形成されている。本実施形態では、特定のカバー部材４０の筒体４４内に当該特定のカバー部材４０とは別のカバー部材４０の筒体４４が挿入されたときに前記特定のカバー部材４０の筒体４４の下端部近傍の内周面が前記別のカバー部材４０の筒体４４の段部４４ｂに当接するように段部４４ｂの形状が設定されている。すなわち、軸方向に複数個のカバー部材４０が重ね合わされることが可能となっている。
【００３８】
閉塞部４６は、筒体４４の上側の開口を取り囲む内周面と円筒部２６の上端の外周面との間に形成される環状の開口を閉塞する円環状の天板４６ａと、天板４６ａの下面に接続されており筒体４４の上端に係合する第一爪部４６ｂと、天板４６ａの下面に接続されており円筒部２６の上端に係合する第二爪部４６ｃとを有する。
【００３９】
連結壁５２は、筒体４４の外周面の下端部から径方向の外向きに突出する第一連結部５２ａと、第一連結部５２ａの外端から下方に向かって延びる形状の第二連結部５２ｂとを有する。第一連結部５２ａは、周方向に連続的につながる円環状を呈する。第二連結部５２ｂは、対向壁３１の径よりも一回り大きな径を有して周方向に連続的につながる円筒状を呈する。
【００４０】
被係止部５４は、第二連結部５２ｂの外周面の下端に接続されており、張出部３５と突出部３７との隙間に入り込んで突出部３７に対して下から係合する形状を有する。被係止部５４は、突出部３７と同じ数だけ周方向に沿って等間隔で間欠的に並ぶように第二連結部５２ｂの外周面に接続されている。本実施形態では、被係止部５４の上面５４ａは、前記軸方向と直交する平面と平行な平坦面となっている。
【００４１】
被係止部５４は、当該被係止部５４が周方向について突出部３７から離間している解除状態から、前記周方向に沿って被係止部５４が突出部３７に近付く係合方向に変位することで突出部３７の下側に位置しつつ当該突出部３７と係合する。この係合状態において、被係止部５４の上面５４ａは、突出部３７の下面３７ａに圧接する。一方、前記係合状態から、被係止部５４が突出部３７と上下方向に重ならなくなるまで（被係止部５４が前記周方向について突出部３７から離間するまで）この被係止部５４が前記周方向について前記係合方向と反対の解除方向に変位することで前記解除状態となる。
【００４２】
ここで、本実施形態の薬剤体容器の中に薬剤体１０を供給する工程について説明する。
【００４３】
まず、筒体４４から閉塞部４６を取り外す。そして、支持部材２０に対してカバー部材４０のうち閉塞部４６以外の部位を組み付ける。具体的に、前記解除状態から支持部材２０に対して筒体４４を前記係合方向に相対回転させる。そうすると、被係止部５４の上面５４ａが突出部３７の下面３７ａに圧接することで被係止部５４と突出部３７とが互いに係合する。このように、本実施形態では、前記解除状態からカバー部材４０を支持部材２０に対して前記係合方向に相対回転させるだけで係止部３４と被係止部５４とが互いに係合し、しかもこの係合状態で被係止部５４の上面５４ａが突出部３７の下面３７ａに圧接するので、両者の係合状態が安定する。このとき、つまり、係合状態となったとき、筒体４４の下端４４ａが把持部２３の上端に食い込む。
【００４４】
次に、筒体４４の上側の開口を取り囲む内周面と円筒部２６の上端の外周面との間に形成される環状の開口から筒体４４及び把持部２３の内周面と円筒部２６の外周面との間の収容空間内に、流動性を有する薬剤体形成材を充填する。この薬剤体形成材は、固化することにより薬剤体１０となる。そして、筒体４４の上端に閉塞部４６を取り付ける。これにより、前記収容空間が密閉される。具体的に、係止部３４と被係止部５４とが互いに係合したときに筒体４４の下端４４ａが前記周方向の全域にわたって把持部２３の上端に食い込んでいるので、あとは筒体４４の上端に閉塞部４６を取り付けることによって前記収容空間が密閉される。本実施形態では、係止部３４及び被係止部５４の内側に前記収容空間の密閉構造が構築されるので、係止部３４又は被係止部５４に外力が作用する等してこれらが変形した場合であっても、前記収容空間の密閉状態が維持される。
【００４５】
その後、前記薬剤体形成材が固化することにより保形性を有する薬剤体１０が形成される。このようにして薬剤体容器内への薬剤体１０の供給が行われる。
【００４６】
続いて、薬剤体容器内の薬剤体１０を外部に露出させる工程について説明する。
【００４７】
支持部材２０に対してカバー部材４０を前記解除方向に相対回転させる。これにより、係止部３４と被係止部５４との係合が解除されて解除状態となる。
【００４８】
その後、支持部材２０に対してカバー部材４０を上方に変位させることで当該カバー部材４０を支持部材２０から取り外す。これにより、薬剤体１０の上部が外部に露出する。
【００４９】
ここで、薬剤体１０の表面に離水が生じており、カバー部材４０が支持部材２０から取り外されたときにその離水が把持部２３の外側に流出したとしても、当該離水は、離水受け空間Ｓで受けられる。よって、支持部材２０からの離水の漏れが抑制される。
【００５０】
このように、本実施形態の薬剤体容器では、保持部２２の外側に離水受け空間Ｓが形成され、かつその外側に係止部３４が設けられているので、薬剤体１０の表面に離水が生じており、支持部材２０からカバー部材４０が取り外されたときに当該離水が保持部２２の外側に流出したとしても、この離水は、係止部３４よりも内側に位置する離水受け空間Ｓで受けられる。よって、離水受け空間Ｓの外側に位置する係止部３４の形状は、離水受け空間Ｓを形成するための制限を受けずに高い自由度で設定されることが可能となる。
【００５１】
例えば、係止部３４としては、本実施形態のように、張出部３５、側壁部３６及び突出部３７により構成され、張出部３５が貫通孔３５ａを有するものとすることができる。すなわち、従来の支持部材では、被係止部を受け入れる空間が離水受け空間も兼ねていたので、支持部材の成型を容易にするべく係止部の張出部に貫通孔が形成された場合、当該貫通孔から離水が漏れるおそれがあるが、本実施形態では、被係止部５４を受け入れるための空間を有する係止部３４よりも内側に離水受け空間Ｓが確保されているので、張出部３５のうち少なくとも突出部３７と上下方向に重なる領域に貫通孔３５ａが形成されることが許容される。この構造では、上下方向に互いに重なり合う部位（張出部３５及び突出部３７）を有する係止部３４を備えた支持部材２０を上下金型を用いて簡単な工程で成型することが可能となる。具体的には、上記のように、下金型として、張出部３５の下面から貫通孔３５ａを通って突出部３７の下面３７ａに至るように延びる形状の部位を有するものを用いることが可能となるので、上金型と下金型との間に樹脂を供給した後、これら両金型を単純に上下に分離するという簡単な工程で、係止部３４を備えた支持部材２０が成型される。換言すると、張出部３５への貫通孔３５ａの形成が許容されない場合、つまり張出部３５が周方向に沿って連続的につながる形状であることが要求される場合、前記上下金型による支持部材２０の成型は困難であるが、本実施形態では、張出部３５に貫通孔３５ａが形成されることが許容されるので、前記上下金型によって簡単に支持部材２０を成型することが可能となる。
【００５２】
よって、本実施形態の薬剤体容器では、支持部材２０からの離水の漏れの抑制と被係止部５４を受け入れ可能な空間を有しかつ当該被係止部５４に対して上から係合する形状の係止部３４を備えた支持部材２０の容易な成型との双方が可能となる。
【００５３】
また、本実施形態では、対向壁３１及び接続壁３２は、ともに周方向に沿って連続的につながる形状を有しており、接続壁３２の内端が周方向の全域にわたって把持部２３の外側面２３ａにつながっているので、周方向について把持部２３のどの部位から当該把持部２３の外側に離水が流出したとしても、当該離水は離水受け部３０によって確実に受けられる。
【００５４】
また、本実施形態では、対向壁３１の上端の位置は、把持部２３の上端の位置と略同じに設定されていることから、対向壁３１の上端の位置が把持部２３の上端の位置よりも低い場合に比べて離水受け空間Ｓの体積が大きくなるので、支持部材２０からの離水の漏れが一層抑制される。
【００５５】
また、本実施形態では、突出部３７が当該突出部３７と張出部３５との間に位置する被係止部５４に対して上から係合するので、係止部３４と被係止部５４とが互いに係合した係合状態においてカバー部材４０が支持部材２０から離脱するのが抑制される。
【００５６】
また、本実施形態では、支持部材２０は、軸方向に重ね合わされることが可能であるので、複数の支持部材２０を省スペースで保管すること及び搬送することが可能となる。また、複数の支持部材２０が互いに重ね合わされた状態で保管及び搬送されることにより、各支持部材２０の破損が抑制される。このことは、カバー部材４０についても同様である。
【００５７】
なお、今回開示された上記実施形態は、すべての点で例示であって制限的なものではないと考えられるべきである。本発明の範囲は、上記した実施形態の説明ではなく、特許請求の範囲によって示され、さらに特許請求の範囲と均等の意味および範囲内でのすべての変更が含まれる。
【００５８】
例えば、上記実施形態では、張出部３５が対向壁３１の外側面の下端に接続されている例が示されたが、張出部３５の対向壁３１に対する接続位置は、これに限られない。張出部３５の対向壁３１に対する接続位置は、例えば、図３に示されるように対向壁３１の外側面３１ｂの上端でもよし、対向壁３１の外側面３１ｂのうち上端と下端との間の上下方向の任意の位置でもよい。図３に示されるように、張出部３５が対向壁３１の外側面３１ｂの上端に接続されている場合、連結壁５２は、筒体４４の外側面の下端から径方向の外向きに直線状に延びて当該筒体４４と被係止部５４とを連結する形状（第二連結部５２ｂが省略された形状）とされることが好ましい。このようにすれば、第二連結部５２ｂが省略されることから、連結壁５２の径方向の寸法の短縮が可能となるので、薬剤体容器全体として径方向の寸法の短縮が可能となる。
【００５９】
また、上記実施形態では、支持部材２０の係止部３４が、張出部３５、側壁部３６及び突出部３７を有し、カバー部材４０の被係止部５４が、張出部３５と突出部３７との間に位置しながら突出部３７に対して下方から係合する例が示されたが、これら係止部３４及び被係止部５４の形状は、逆であってもよい。すなわち、図４に示されるように、支持部材２０の係止部３４が、対向壁３１の外側面から外向きに突出する形状を有し、カバー部材４０の被係止部５４が、連結壁５２の外端から外向きに張り出す張出部５５、張出部５５の外端から下方に延びる側壁部５６及び側壁部５６の内側面から内向きに突出して係止部３４に下方から係合する突出部５７を有してもよい。この場合、張出部５５には貫通孔５５ａが形成されてもよい。
【００６０】
また、上記実施形態では、支持部材２０に対して筒体４４を前記係合方向に相対回転させることによって両者が係合する例が示されたが、両者の係合方法はこれに限られない。例えば、支持部材２０の突出部３７に対してカバー部材４０の被係止部５４が上方に位置するように突出部３７及び被係止部５４が互いに上下方向に重なり合う状態から、被係止部５４が突出部３７の下方に至りその状態で両者が互いに上下方向に重なり合いながら係合するようにカバー部材４０を下方に押し付けることによって支持部材２０とカバー部材４０とを係合させてもよい。
【００６１】
また、対向壁３１の上端の位置は、把持部２３の上端の位置より高くてもよいし、低くてもよい。ただし、対向壁３１の上端の位置が把持部２３の上端の位置と同じ高さ以上とすることにより、離水受け空間Ｓの体積が多く確保される。
【００６２】
また、本実施形態の薬剤体容器は、詰替え用の容器として用いられてもよい。すなわち、本薬剤体容器の外側を覆う形状を有する化粧用のカバー容器内に本薬剤体容器が装着されてもよい。この場合、その内部に薬剤体１０を収容した状態の薬剤体容器からカバー部材４０が取り外されたものが前記カバー容器内に装着される。このようにすれば、薬剤体１０の外部への露出が回避される。
【符号の説明】
【００６３】
１０    薬剤体
２０    支持部材
２２    保持部
２３    把持部
２３ａ  把持部の外側面
３０    離水受け部
３１    対向壁
３１ａ  対向壁の内側面
３１ｂ  対向壁の外側面
３２    接続壁
３２ａ  接続壁の内面
３４    係止部
３５    張出部
３５ａ  貫通孔
３６    側壁部
３７    突出部
４０    カバー部材
４２    カバー本体
４４    筒体
４６    閉塞部
５２    連結壁
５４    被係止部
Ｓ      離水受け空間
【図１】
2015074466.tif 000003
【図２】
2015074466.tif 000004
【図３】
2015074466.tif 000005
【図４】
2015074466.tif 000006
【図５】
2015074466.tif 000007